【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項２】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項３】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項４】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項５】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項６】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項７】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項８】
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
【請求項９】
前記近距離無線通信手段が前記携帯電話機との間で近距離無線通信を可能でハンズフリー通話が可能であることを判断する手段を有し、この手段によりハンズフリー通話が可能と判断された場合に、前記ディスプレイに、車内でのハンズフリー通話に切り替えるための表示を行うことを特徴とする請求項２または４記載のハンズフリー装置。
【請求項１０】
前記近距離無線通信手段が前記携帯電話機との間で近距離無線通信を可能でハンズフリー通話が可能であることを判断する手段を有し、この判断手段よりハンズフリー通話が可能と判断された場合に、前記ディスプレイに、車内でのハンズフリー通話に切り替え可能の旨の表示を行うことを特徴とする請求項１または３記載のハンズフリー装置。
【手続補正２】
【補正対象書類名】明細書
【補正対象項目名】０００６
【補正方法】変更
【補正の内容】
【０００６】
請求項１記載の発明では、送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
また、請求項２記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
請求項３記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
請求項４記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信を可能でハンズフリー通話が可能であるときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
請求項５記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴とするハンズフリー装置。
請求項６記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信可能となったと判断したときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
請求項７記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替え可能の旨の表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
請求項８記載の発明では、
送話音声を入力する携帯側送話音声入力手段と、受話音声を出力する携帯側受話音声出力手段と、他の電話機との間で電話通信を行う電話通信手段とを備えた携帯電話機と、
車室内に設けられ、送話音声を入力する車内側送話音声入力手段と、受話音声を出力する車内側受話音声出力手段と、ディスプレイを備えたハンズフリー装置とを具備したハンズフリー通話システムに用いられる前記ハンズフリー装置であって、
前記ディスプレイは、前記車室内に配置されたナビゲーション装置に用いられるものであり、
前記携帯電話機との間で近距離無線通信を行う近距離無線通信手段と、所定の操作を行うための操作手段とを有し、前記近距離無線通信手段は、携帯電話機が車外にあっても近距離無線通信が可能な通信圏内を有し、
前記携帯側送話音声入力手段が入力した送話音声を前記電話通信手段から他の電話機に送信させると共に、他の電話機から前記電話通信手段が受信した受話音声を前記携帯側受話音声出力手段から出力させる通話処理を行っており、この通話処理中において、前記近距離無線通信手段が前記携帯電話機との間で近距離無線通信が不能から前記通信圏内となったと判断したときに、前記ディスプレイに、車内でのハンズフリー通話に切り替えるための表示を行い、前記操作手段にて所定の操作が行われると、前記車内側送話音声入力手段が入力した送話音声を、前記近距離無線通信手段を介して前記電話通信手段から他の電話機に送信させると共に、他の電話機から前記電話通信手段が受信した受話音声を、前記近距離無線通信手段を介して前記車内側受話音声出力手段から出力させる車内通話処理に切替可能な制御手段とを備えたことを特徴としている。
また、請求項９記載の発明では、請求項２または４記載の発明において
前記近距離無線通信手段が前記携帯電話機との間で近距離無線通信を可能でハンズフリー通話が可能であることを判断する手段を有し、この手段によりハンズフリー通話が可能と判断された場合に、前記ディスプレイに、車内でのハンズフリー通話に切り替えるための表示を行うことを特徴としている。
また、請求項１０記載の発明では、請求項１または３記載の発明において、
前記近距離無線通信手段が前記携帯電話機との間で近距離無線通信を可能でハンズフリー通話が可能であることを判断する手段を有し、この判断手段よりハンズフリー通話が可能と判断された場合に、前記ディスプレイに、車内でのハンズフリー通話に切り替え可能の旨の表示を行うことを特徴としている。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
これにより、請求項１〜１０記載の発明では、他の電話機と携帯電話機との間の通話をハンドセット通話により行なっているときに、他の電話機と携帯電話機との間の通話をハンズフリー装置を用いるハンズフリー通話により行うことができる状況において、ナビゲーション装置のディスプレイでの表示によって、ハンズフリー装置の操作手段を操作することで、ハンドセット通話からハンズフリー通話に的確なタイミングで切替えることが可能となる。
また、請求項３、４、７、８では、さらに、携帯電話機を使用する人が車室外であれば、ハンズフリー装置の操作手段を操作させないことによって、ハンドセット通話からハンズフリー通話に切り替わってしまうことを未然に回避することができ、その一方で、携帯電話機を使用する人が車室内であれば、ハンズフリー装置の操作手段によりハンドセット通話からハンズフリー通話に切替えることができる。
【手続補正９】
【補正対象書類名】明細書
【補正対象項目名】００２３
【補正方法】変更
【補正の内容】
【００２３】
また、制御部２は、ハンズフリー装置９からハンズフリー切替通知コマンドを受信したことを検出すると、ステップＳ４において「ＹＥＳ」と判定し、この場合にも、ハンズフリー通話切替指令を音声切替部８に出力し、電話通信部３とブルートゥース通信部１０との間の音声パスを開通させ、ハンズフリー通話による通話処理を行う（ステップＳ６）。
ここで、ハンズフリー通話による通話処理とは、ハンズフリー装置９の送話音声入力手段６が入力した送話音声を、近距離無線通信にて携帯電話機１の電話通信手段から他の電話機に送信させると共に、他の電話機から携帯電話機１の電話通信手段３が受信した受話音声を近距離無線通信によりハンズフリー装置９の受話音声出力手段１８から出力させるものである。
【手続補正１０】
【補正対象書類名】明細書
【補正対象項目名】００３８
【補正方法】変更
【補正の内容】
【００３８】
（その他の実施の形態）
本発明は、上記した実施例にのみ限定されるものでなく、次のように変形または拡張することができる。近距離無線通信は、ブルートゥースの通信規格に準拠したものに限らず、他のものであっても良い。